(57)【特許請求の範囲】
【請求項１】
本体に開閉自在に設けられた蓋と、同蓋の開閉状態を検出する蓋開閉スイッチと、
操作内容を表示する表示部と、
前記蓋の開状態時には直接操作され、閉状態時には前記蓋に設けられた外部操作機構を介して操作される操作ボタンとを設け、
前記操作ボタンは蓋開閉スイッチの状態に応じて異なる機能に切換えられるようにしてなるリモートコントローラにおいて、
前記本体に、前記蓋開閉スイッチと同じ機能を有する機能切換スイッチを設けたことを特徴とするリモートコントローラ。
【請求項２】
前記機能切換スイッチを前記本体裏面側の電池収納部に設けてなることを特徴とする請求項１記載のリモートコントローラ。
【請求項３】
前記機能切換スイッチがON/OFF切換可能なスライド式スイッチからなることを特徴とする請求項１または２記載のリモート コントローラ。
【請求項４】
前記機能切換スイッチは前記蓋開閉スイッチと並列接続してなることを特徴とする請求項１、２または３記載のリモート コントローラ。
【請求項５】
前記操作ボタン名を前記表示部に表示してなることを特徴とする請求項１記載のリモートコントローラ。
【発明の詳細な説明】
【０００１】
【発明の属する技術分野】
本発明は空気調和機等を遠隔操作するリモートコントローラに係り、詳しくは、リモコン本体の開閉蓋を破損した場合でも操作ボタンの機能に支障が起きないようにした構造および制御方法に関する。
【０００２】
【従来の技術】
従来の空気調和機等を遠隔操作するリモートコントローラ（ワイヤレスリモコンとも言う）は例えば図１（Ａ）、図１（Ｂ）および図２に示すようなものがある。図において、１は空気調和機等のリモートコントローラ本体、２は液晶（ＬＣＤ）表示部、３は蓋、４は収納部、５は運転／停止等を行う各種操作ボタン、６は前記蓋３に設けられた外部操作機構、７は蓋３の開閉により、同蓋３の内側に設けられた突起3aによりON/OFFされ、前記操作ボタン５の機能を切換える蓋開閉スイッチ、８は空気調和機等機器の受光部に赤外線信号を送信し、機器の動作を指示するＬＥＤからなる赤外線送信部である。
【０００３】
次ぎに動作について説明する。空気調和機等を運転しようとする時には通常リモートコントローラの蓋３を開けて（蓋開閉スイッチ７がＯＦＦ状態）収納部４に配置された多数の操作ボタン５により空気調和機等の本体の運転内容を制御する（図１Ｂの状態）。前記操作スイッチ５のうち日常操作を頻繁に行う操作ボタン５に対しては蓋３を閉めても（蓋開閉スイッチ７がＯＮ状態）操作可能とするよう蓋３に外部操作機構６を設け、蓋３の開閉の煩わしさをなくすとともに外観上も操作ボタン５の数が少なく見えるようにしている（図１Ａの状態）。
【０００４】
図６の制御ブロック図および図７のフローチャートにより制御動作について説明する。
蓋３の開閉状態により、蓋開閉スイッチ７がON/OFFされ、ボタン機能判別部31で操作ボタン５の機能を決定する。蓋３が開または閉の状態いずれの場合もリモートコントローラの操作ボタン５の操作により運転内容が機能制御部32へ送られ、機能制御部32ではその運転内容をＬＣＤ制御部33を介して液晶（ＬＣＤ）表示部２に表示するとともに、赤外線制御部34を介して赤外線送信部８より、空気調和機等機器の受光部に赤外線信号を送信し、機器の動作を指示する。
【０００５】
図７のフローチャートにおいて、リモートコントローラの操作により運転が開始されると、まず、ステップST35で蓋開閉スイッチ７がONかどうか判定され、もしONであれば、ステップST36でボタン機能（図１Ａ参照）が次ぎのようになされる。即ち、ボタンａは除湿、ボタンｂは空気清浄、ボタンｃはワンタッチ切り、ボタンｄはワンタッチ入りのそれぞれボタンとなる。
もし、ステップST35で蓋開閉スイッチ７がONでなければ、ステップST37で蓋開閉スイッチ７がOFF かどうか判定され、もしOFF であればステップST38でボタン機能（図１Ｂ参照）が次ぎのようになされる。即ち、ボタンa'は運転切換、ボタンB'は風量切換、ボタンC'は入タイマー、ボタンD'はタイマー取消のそれぞれボタンとなる。
【０００６】
上記のように、空気調和機等のリモートコントローラ１は収納部４にある操作ボタン５の機能や表示部２における表示内容の数を蓋の開閉により自動的に切換えることができるので、使用者にとっては操作ボタン５や表示内容の数を増やすことなく、使用者のための快適性や外観の見栄えをよくすることができる。
しかしながら、使用者が誤って蓋３を破損してしまった場合、日常操作を頻繁に行う蓋３を閉めた状態の機能が使えなくなるという問題点が起こる。
【０００７】
【発明が解決しようとする課題】
本発明は、前記問題点に鑑み、本体の外部から直接操作できない位置に、前記蓋開閉スイッチと同じ機能を有する機能切換スイッチを設け、蓋を破損した場合でも操作ボタンの機能に支障が起きないようにしたリモートコントローラを提供することを目的とする。
【0008】
【課題を解決するための手段】
本発明は上記の課題を解決するためになされたものであり、
本体に開閉自在に設けられた蓋と、同蓋の開閉状態を検出する蓋開閉スイッチと、
操作内容を表示する表示部と、
前記蓋の開状態時には直接操作され、閉状態時には前記蓋に設けられた外部操作機構を介して操作される操作ボタンとを設け、
前記操作ボタンは蓋開閉スイッチの状態に応じて異なる機能に切換えられるようにしてなるリモートコントローラにおいて、
前記本体に、前記蓋開閉スイッチと同じ機能を有する機能切換スイッチを設けた構成となっている。
【０００９】
また、前記機能切換スイッチを前記本体裏面側の電池収納部に設けた構成となっている。
【００１０】
また、前記機能切換スイッチがON/OFF切換可能なスライド式スイッチからなる構成となっている。
【００１１】
また、前記機能切換スイッチは前記蓋開閉スイッチと並列接続してなる構成となっている。
【００１２】
また、前記操作ボタン名を前記表示部に表示してなる構成となっている。
【００１３】
【発明の実施の形態】
以下、本発明における実施の形態を添付図面に基づいて詳細に説明する。図１は本発明および従来例におけるリモートコントローラの上面側外観図で、（Ａ）は蓋を閉じた状態、（Ｂ）は蓋を開けた状態を示す。図２は蓋を開けた状態における断面図である。図３は本発明におけるリモートコントローラの裏面側外観図である。
図において、１は空気調和機等のリモートコントローラ本体、２は液晶（ＬＣＤ）表示部、３は蓋、４は収納部、５は運転／停止等を行う各種操作ボタン、６は前記蓋３に設けられた外部操作機構、７は蓋３の開閉により、同蓋３の内側に設けられた突起3aにより開口部4aからON/OFFされ、前記操作ボタン５の機能を切換える蓋開閉スイッチ、８は空気調和機等機器の受光部に赤外線信号を送信し、機器の動作を指示するＬＥＤからなる赤外線送信部である。
【００１４】
前記本体１の裏面側には電池９を収納する電池収納部9aが設けられ、電池９の交換時以外は電池蓋9bで覆われている。前記電池収納部9a内には、前記蓋開閉スイッチ７と同じ機能を有する機能切換スイッチ10が設けられ、使用者が誤って蓋３を破損してしまい前記蓋開閉スイッチ７が不能となった時、前記機能切換スイッチ10に置換えて使用するように構成されている。
【００１５】
前記機能切換スイッチ10には、スライド式スイッチが用いられ、回路的には前記蓋開閉スイッチ７と並列に接続され、前記蓋３が正常に開閉されている時は、前記蓋開閉スイッチ７が優先して機能し、機能切換スイッチ10はOFF 状態にしておく。もし、使用者が蓋３を破損した場合は、蓋開閉スイッチ７がOFF 状態のままとなるため、前記機能切換スイッチ10に置換えて使用することにより前記操作ボタン５の機能を切換えることができる。
【００１６】
次ぎに図４の制御ブロック図により制御動作について説明する。尚蓋開閉スイッチ７を用いた場合の動作は従来例と同じであるため、詳細説明は省略する。
前記蓋開閉スイッチ７または機能切換スイッチ10がON/OFFいずれかが選択されと、制御装置（マイコン）20内のボタン機能判別部21により、各種操作ボタン５の機能が決定される。
操作ボタン５の操作により運転内容が機能制御部22へ送られ、機能制御部22ではその運転内容をＬＣＤ制御部23を介して液晶（ＬＣＤ）表示部２に表示するとともに、赤外線制御部24を介して赤外線送信部８より、空気調和機等機器の受光部に赤外線信号を送信し、機器の動作を指示する。
【００１７】
これらの制御動作を図５のフローチャートにより説明する。
リモートコントローラ１の操作により運転が開始されると、まず、ステップST25で蓋開閉スイッチ７がONかどうか判定され、もしONであれば、ステップST26でボタン機能（図１Ａ参照）が次ぎのようになされる。即ち、ボタンａは除湿、ボタンｂは空気清浄、ボタンｃはワンタッチ切り、ボタンｄはワンタッチ入りのそれぞれボタンとなる。
【００１８】
もし、ステップST25で蓋開閉スイッチ７がONでなければ、即ち、蓋開閉スイッチ７がOFF または操作不能であれば、ステップST27で機能切換スイッチ10がONかどうか判定され、もしONであれば、ステップST26に戻り上記ボタン機能となる。
もしステップST27で機能切換スイッチ10がOFF であればステップST28でボタン機能（図１Ｂ参照）が次ぎのようになされる。即ち、ボタンa'は運転切換、ボタンB'は風量切換、ボタンC'は入タイマー、ボタンD'はタイマー取消のそれぞれボタンとなる。
尚、蓋３を破損し機能切換スイッチ10を使用した場合、図１（Ａ）のボタンａ〜ｄのボタン名は図１（Ｂ）のボタンa'〜d'のボタン名となってしまうため、例えば、ボタンa'運転切換を押した時、液晶表示部２にボタンａの除湿が表示するようになされている。
【００１９】
以上説明したように、前記本体１の裏面側の電池収納部9a内に、前記蓋開閉スイッチ７と同じ機能を有する機能切換スイッチ10を設け、使用者が誤って蓋３を破損してしまい前記蓋開閉スイッチ７が不能となった時、前記機能切換スイッチ10に置換えて使用するように構成することにより、日常操作を頻繁に行う蓋３を閉めた状態の機能が使え、機器の運転操作に支障が起きないようにしたリモートコントローラとなる。
【００２０】
【発明の効果】
以上のように本発明によれば、使用者が誤って蓋を破損してしまい蓋開閉スイッチが不能となった時、機能切換スイッチに切換えられるように構成することにより、日常操作を頻繁に行う蓋を閉めた状態の機能が使え、機器の運転操作に支障が起きないようにしたリモートコントローラとなる。
【図面の簡単な説明】
【図１】本発明及び従来例を示すリモートコントローラの上面側外観図で、（Ａ）は蓋を閉じた状態、（Ｂ）は蓋を開けた状態を示す。
【図２】本発明及び従来例を示す蓋を開けた状態における断面図である。
【図３】本発明におけるリモートコントローラの裏面側外観図である。
【図４】本発明における制御ブロック図である。
【図５】本発明におけるフローチャートである。
【図６】従来例における制御ブロック図である。
【図７】従来例におけるフローチャートである。
【符号の説明】
１  リモートコントローラ本体
２  液晶表示部
３  蓋
3a  突起
４  収納部
4a  開口部
５  操作ボタン
６  外部操作機構
７  蓋開閉スイッチ
８  赤外線送信部
９  電池
10  機能切換スイッチ
20  制御装置（マイコン）
21  ボタン機能判別部
22  機能制御部
23  ＬＣＤ制御部
24  赤外線制御部
ａ  除湿ボタン
ｂ  空気清浄ボタン
ｃ  ワンタッチ切ボタン
ｄ  ワンタッチ入りボタン
a'  運転切換ボタン
b'  風量切換ボタン
c'  入タイマー
d'  タイマー取消ボタン
【図１】
0004513242.tif 000002
【図２】
0004513242.tif 000003
【図３】
0004513242.tif 000004
【図４】
0004513242.tif 000005
【図５】
0004513242.tif 000006
【図６】
0004513242.tif 000007
【図７】
0004513242.tif 000008